(57)【特許請求の範囲】
【請求項１】
識別体から識別情報を読み取る読取部と、
予め識別情報を記憶している識別情報記憶部と、
前記読取部により読み取られた識別情報が前記識別情報記憶部に記憶されているか否かを判定する照合部と、
通常モードにおいて前記照合部による判定に基づいて電気錠を解錠し、警備モードにおいて前記電気錠を解錠しない施解錠部と、
前記通常モードから前記警備モードへの移行を行うための移行操作を受け付ける移行操作部と、
前記通常モードから前記警備モードへの移行を禁止するための移行禁止操作を受け付ける移行禁止操作部と、
前記移行禁止操作が行われていない状態で前記移行操作が行われた場合は前記通常モードから前記警備モードへの移行を行い、前記移行禁止操作が行われている状態で前記移行操作が行われた場合は前記通常モードから前記警備モードへの移行を行わない制御部と、
を備え、
前記移行禁止操作部が前記識別体に設けられた入退室管理システム。
【請求項２】
情報を表示する一時退室者表示部を備え、
前記制御部は、前記移行禁止操作が行われた際に前記読取部により読み取られた識別情報を記憶し、前記移行禁止操作が行われている状態で前記移行操作が行われた場合に当該識別情報と関連付けられた情報を前記一時退室者表示部に表示させる請求項１に記載の入退室管理システム。
【発明の詳細な説明】
【技術分野】
【０００１】
本発明は、入退室管理システムに関するものである。
【背景技術】
【０００２】
下記特許文献１には、部屋に残っている人物が居ない場合に、最終退室者が警戒状態を設定可能な入退室管理システムが記載されている。
【先行技術文献】
【特許文献】
【０００３】
【特許文献１】特開２０１０−２０５０９２号公報
【発明の概要】
【発明が解決しようとする課題】
【０００４】
特許文献１に記載の入退室管理システムでは、例えば、一時的に他の場所で作業している一時退室者が存在する場合であっても、当該部屋に誰も残っていなければ警戒状態を設定可能である。警戒状態が設定された場合、一時退室者は当該部屋に戻ることができない。このため、特許文献１に記載の入退室管理システムでは、一時退室者の利便性が低い。
【０００５】
本発明は、上記の課題を解決するためになされた。その目的は、一時退室者の利便性を向上させることができる入退室管理システムを提供することである。
【課題を解決するための手段】
【０００６】
本発明に係る入退室管理システムは、識別体から識別情報を読み取る読取部と、予め識別情報を記憶している識別情報記憶部と、読取部により読み取られた識別情報が識別情報記憶部に記憶されているか否かを判定する照合部と、通常モードにおいて照合部による判定に基づいて電気錠を解錠し、警備モードにおいて電気錠を解錠しない施解錠部と、通常モードから警備モードへの移行を行うための移行操作を受け付ける移行操作部と、通常モードから警備モードへの移行を禁止するための移行禁止操作を受け付ける移行禁止操作部と、移行禁止操作が行われていない状態で移行操作が行われた場合は通常モードから警備モードへの移行を行い、移行禁止操作が行われている状態で移行操作が行われた場合は通常モードから警備モードへの移行を行わない制御部と、を備え、移行禁止操作部が識別体に設けられたものである。
【発明の効果】
【０００７】
本発明に係る入退室管理システムにおいて、制御部は、移行禁止操作が行われている状態で移行操作が行われた場合は通常モードから警備モードへの移行を行わない。このため、本発明によれば、入退室管理システムにおいて、一時退室者の利便性を向上させることができる。
【図面の簡単な説明】
【０００８】
【図１】本発明の実施の形態１における入退室管理システムの構成図である。
【図２】本発明の実施の形態１における入退室管理システムのハードウェア構成図である。
【図３】本発明の実施の形態１におけるカード認証装置の一例を示す模式図である。
【図４】本発明の実施の形態１における入退室管理システムの動作例を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における入退室管理システムの構成図である。入退室管理システムは、例えば、複数の部屋及び複数の扉を備えた図示しない建物に適用される。
【００１１】
図１に示すように、入退室管理システムは、カード認証装置１、無線タグ認証装置２、電気錠コントローラ３及び扉４に設けられた電気錠５を備えている。電気錠コントローラ３は、カード認証装置１及び無線タグ認証装置２と電気的に接続されている。電気錠５は、電気錠コントローラ３と電気的に接続されている。扉４は、例えば、入退室管理の対象となる部屋の出入口に設けられている。カード認証装置１及び無線タグ認証装置２は、例えば、当該部屋の外側に設けられている。カード認証装置１及び無線タグ認証装置２は、例えば、扉４又は扉４付近の壁面等に設けられた端末である。なお、カード認証装置１及び無線タグ認証装置２は、一体の装置として形成してもよい。
【００１２】
カード認証装置１は、読取部６、制御部７、移行操作部８、移行禁止操作部９、状態表示部１０及び一時退室者表示部１１を備えている。状態表示部１０及び一時退室者表示部１１は、例えば、表示灯、液晶画面及びスピーカー等である。移行操作部８及び移行禁止操作部９は、例えば、利用者によって操作される押しボタン又はレバー等である。無線タグ認証装置２は、読取部６及び制御部７を備えている。電気錠コントローラ３は、識別情報記憶部１２、照合部１３及び施解錠部１４を備えている。
【００１３】
入退室管理システムの利用者は、識別情報を有する識別体を携帯している。識別情報は、例えば、ＩＤ又は個人番号等である。実施の形態１では、利用者は、識別体としてＩＤカード１５及び無線タグ１６の少なくとも一方を携帯している。図１には、それぞれ異なる利用者が携帯するＩＤカード１５ａ及びＩＤカード１５ｂが示されている。無線タグ１６には、移行禁止操作部９が設けられている。ＩＤカード１５及び無線タグ１６は、識別情報としてＩＤを有している。つまり、実施の形態１における入退室管理システムでは、識別情報としてＩＤが用いられている。
【００１４】
読取部６は、例えば無線通信により、識別体から情報を読み取る。読取部６が識別体から読み取る情報には、当該識別体のＩＤが含まれている。カード認証装置１の読取部６は、ＩＤカード１５からＩＤを含む情報を読み取る。無線タグ認証装置２の読取部６は、無線タグ１６からＩＤを含む情報を読み取る。無線タグ認証装置２の読取部６と無線タグ１６とが通信可能な最大距離は、カード認証装置１の読取部６とＩＤカード１５とが通信可能な最大距離よりも長い。カード認証装置１は、読取部６によりＩＤカード１５から読み取られたＩＤを電気錠コントローラ３に送信する。無線タグ認証装置２は、読取部６により無線タグ１６から読み取られたＩＤを電気錠コントローラ３に送信する。
【００１５】
識別情報記憶部１２は、照合用のＩＤを予め記憶している。照合部１３は、読取部６により読み取られたＩＤを識別情報記憶部１２に記憶されているＩＤと照合する。つまり、照合部１３は、読取部６により読み取られたＩＤが識別情報記憶部１２に記憶されているか否かを判定する。施解錠部１４は、照合部１３による判定に基づいて、電気錠５を制御する。施解錠部１４は、例えば、読取部６により読み取られたＩＤが識別情報記憶部１２に記憶されている場合に、電気錠５を解錠する。施解錠部１４は、例えば、読取部６により読み取られたＩＤが識別情報記憶部１２に記憶されていない場合に、電気錠５を解錠しない。
【００１６】
入退室管理システムは、運用モードとして、通常モード及び警備モードを有している。運用モードは、制御部７により通常モード又は警備モードに移行される。施解錠部１４は、通常モードにおいて、上記のように照合部１３による判定に基づいて電気錠５の解錠を行う。つまり、利用者は、通常モードにおいて、識別情報記憶部１２に記憶されているものと同一のＩＤを有する識別体を携帯していれば、扉４が設けられた部屋に入室できる。警備モードにおいて、施解錠部１４は、照合部１３による判定に基づいて電気錠５の解錠を行わない。つまり、警備モードにおいて、利用者は、識別情報記憶部１２に記憶されているものと同一のＩＤを有する識別体を携帯していても、扉４が設けられた部屋に入室できない。
【００１７】
移行操作部８は、移行操作及び解除操作を受け付ける。移行操作は、運用モードを通常モードから警備モードへ移行させるための操作である。解除操作は、運用モードを警備モードから通常モードへ移行させるための操作である。
【００１８】
制御部７は、移行操作に基づいて入退室管理システムの運用モードを通常モードから警備モードに移行させる警備モード移行機能を有している。移行操作は、例えば、扉４が設けられた部屋から最後に退室する利用者によって行われる。制御部７は、警備モード移行機能を無効化及び有効化することが可能である。
【００１９】
制御部７は、通常モードにおいて、警備モード移行機能が有効化されている状態で移行操作が行われた場合、運用モードを通常モードから警備モードへ移行させる。制御部７は、通常モードにおいて、警備モード移行機能が無効化されている状態で移行操作が行われた場合、運用モードを通常モードから警備モードへ移行させない。
【００２０】
移行禁止操作部９は、移行禁止操作及び移行許可操作を受け付ける。移行禁止操作は、警備モード移行機能を無効化するための操作である。つまり、移行禁止操作は、通常モードから警備モードへの移行を禁止するための操作である。移行許可操作は、警備モード移行機能を有効化するための操作である。つまり、移行許可操作は、通常モードから警備モードへの移行を許可するための操作である。移行禁止操作は、例えば、扉４が設けられた部屋から一時的に退室する利用者によって行われる。移行許可操作は、例えば、当該利用者が当該部屋に再び入室する際に、当該利用者によって行われる。
【００２１】
読取部６は、通常モードにおいて移行禁止操作が行われた際に、識別体から当該識別体のＩＤを含む情報を読み取る。カード認証装置１に設けられた読取部６は、例えば、カード認証装置１の移行禁止操作部９に対して移行禁止操作が行われた際に、当該ＩＤカード１５からＩＤを読み取る。無線タグ認証装置２の読取部６は、例えば、無線タグ１６の移行禁止操作部９に対して移行禁止操作が行われた際に、当該無線タグ１６からＩＤを読み取る。つまり、読取部６は、移行禁止操作を行った利用者が携帯する識別体からＩＤを読み取る。
【００２２】
制御部７は、通常モードにおいて、警備モード移行機能が有効化されている状態で移行禁止操作が行われた場合、警備モード移行機能を無効化する。制御部７は、移行禁止操作の際に読取部６によって読み取られたＩＤを一時退室者ＩＤとして記憶する。つまり、制御部７は、移行禁止操作を行った利用者が携帯する識別体のＩＤを一時退室者ＩＤとして記憶する。
【００２３】
読取部６は、通常モードにおいて移行許可操作が行われた際に、識別体から当該識別体のＩＤを含む情報を読み取る。カード認証装置１に設けられた読取部６は、例えば、カード認証装置１の移行禁止操作部９に対して移行許可操作が行われた際に、当該ＩＤカード１５からＩＤを読み取る。無線タグ認証装置２の読取部６は、例えば、無線タグ１６の移行禁止操作部９に対して移行許可操作が行われた際に、当該無線タグ１６からＩＤを読み取る。つまり、読取部６は、移行許可操作を行った利用者が携帯する識別体からＩＤを読み取る。
【００２４】
制御部７は、通常モードにおいて、警備モード移行機能が無効化されている状態で移行許可操作が行われた場合、移行許可操作の際に読取部６によって読み取られたＩＤが一時退室者ＩＤであるか否かを判定する。移行許可操作の際に読取部６によって読み取られたＩＤが一時退室者ＩＤである場合、制御部７は、警備モード移行機能を有効化する。つまり、制御部７は、移行禁止操作を行った利用者によって移行許可操作が行われた場合に、通常モードから警備モードへの移行を許可する。一方、移行許可操作の際に読取部６によって読み取られたＩＤが一時退室者ＩＤでない場合、制御部７は、警備モード移行機能を有効化しない。例えば、一時退室者ＩＤがＩＤカード１５ａのＩＤであり、移行許可操作の際に読取部６によって読み取られたＩＤがＩＤカード１５ｂのものである場合、制御部７は、警備モード移行機能を有効化しない。つまり、制御部７は、移行禁止操作を行った利用者とは異なる利用者によって移行許可操作が行われた場合には、通常モードから警備モードへの移行を許可しない。
【００２５】
状態表示部１０は、現在の運用モード等を表示するためのものである。制御部７は、例えば、現在の運用モードが警備モードであるか通常モードであるかを状態表示部１０に表示させる。制御部７は、例えば、現在の運用モードが通常モードである場合に、警備モードへの移行が許可されているか禁止されているかを状態表示部１０に表示させる。制御部７は、通常モードにおいて、警備モード移行機能が無効化されている状態で移行操作が行われた場合に、状態表示部１０にエラー表示を行わせる。エラー表示は、警備モードに移行できない旨を示すものである。エラー表示は、例えば、表示灯の点滅及びブザーの鳴動等により行われる。
【００２６】
一時退室者表示部１１は、移行禁止操作を行った利用者を特定する情報を表示するためものである。制御部７は、通常モードにおいて、警備モード移行機能が無効化されている状態で移行操作が行われた場合に、一時退室者ＩＤと関連付けられた情報を一時退室者表示部１１に表示させる。当該情報は、例えば、一時退室者ＩＤを有するＩＤカード１５を携帯する利用者の氏名、携帯電話番号及び内線番号等の少なくとも１つである。当該情報は、予め制御部７等に記憶されていてもよいし、移行禁止操作の際に読取部６によって一時退室者ＩＤとともに読み取られたものでもよい。以下、当該情報を「一時退室者情報」とも呼ぶ。
【００２７】
図２は、実施の形態１における入退室管理システムのハードウェア構成図である。カード認証装置１は、プロセッサ１７ａ及びメモリ１８ａを備えている。無線タグ認証装置２は、プロセッサ１７ｂ及びメモリ１８ｂを備えている。電気錠コントローラ３は、プロセッサ１７ｃ及びメモリ１８ｃを備えている。カード認証装置１の機能は、プロセッサ１７ａがメモリ１８ａに記憶されたプログラムを実行することにより、実現される。無線タグ認証装置２の機能は、プロセッサ１７ｂがメモリ１８ｂに記憶されたプログラムを実行することにより、実現される。電気錠コントローラ３の機能は、プロセッサ１７ｃがメモリ１８ｃに記憶されたプログラムを実行することにより、実現される。また、複数のプロセッサおよび複数のメモリが連携してカード認証装置１、無線タグ認証装置２及び電気錠コントローラ３の機能を実行してもよい。
【００２８】
図３は、実施の形態１におけるカード認証装置の一例を示す模式図である。図３は、カード認証装置１を正面から見た状態を示している。
【００２９】
図３に示すように、読取部６の下方には、一時退室者表示部１１が配置されている。読取部６及び一時退室者表示部１１の左側には、移行操作部８、移行禁止操作部９及び状態表示部１０が配置されている。図３に示す読取部６は、例えば、ＩＤカード１５と同程度の大きさに形成されている。
【００３０】
図３に示すカード認証装置１において、移行操作部８及び移行禁止操作部９は、押しボタンとして形成されている。カード認証装置１には、移行操作部８として、警備ボタン８ａ及び解除ボタン８ｂが設けられている。カード認証装置１には、移行禁止操作部９として、禁止ボタン９ａ及び許可ボタン９ｂが設けられている。警備ボタン８ａ、解除ボタン８ｂ、禁止ボタン９ａ及び許可ボタン９ｂのそれぞれの内側には、状態表示部１０として、ＬＥＤランプが設けられている。
【００３１】
図３に示す移行操作部８に対する移行操作は、警備ボタン８ａを押すことである。図３に示す移行操作部８に対する解除操作は、解除ボタン８ｂを押すことである。図３に示す移行禁止操作部９に対する移行禁止操作は、禁止ボタン９ａを押すことである。図３に示す移行禁止操作部９に対する移行許可操作は、許可ボタン９ｂを押すことである。
【００３２】
図３に示すカード認証装置１において、制御部７は、ＬＥＤランプを点灯又は消灯させることで、現在の運用モード等を状態表示部１０に表示させる。制御部７は、運用モードが警備モードである時は、例えば、警備ボタン８ａの内側のＬＥＤランプを点灯させる。制御部７は、運用モードが通常モードであり、警備モード移行機能が無効化されている時は、例えば、解除ボタン８ｂ及び禁止ボタン９ａの内側のＬＥＤランプを点灯させる。制御部７は、運用モードが通常モードであり、警備モード移行機能が有効化されている時は、例えば、解除ボタン８ｂ及び許可ボタン９ｂの内側のＬＥＤランプを点灯させる。
【００３３】
図４は、実施の形態１における入退室管理システムの動作例を示すフローチャートである。以下、図４を参照して、警備モード移行機能を無効化及び有効化する動作について説明する。
【００３４】
通常モードにおいて警備モード移行機能が有効化されている状態で、利用者により移行禁止操作が行われると（ステップＳ１０１）、読取部６が識別体からＩＤを読み取る（ステップＳ１０２）。制御部７は、ステップＳ１０２で読取部６によって読み取られたＩＤを一時退室者ＩＤとして記憶し（ステップＳ１０３）、警備モードへの移行を禁止する（ステップＳ１０４）。つまり、ステップＳ１０４において、警備モード移行機能が無効化される。ステップＳ１０４の処理の後、入退室管理システムは、ステップＳ１０５の処理を行う。
【００３５】
ステップＳ１０５では、警備モード移行機能が無効化されている状態で移行操作が行われたか否か判定される。ステップＳ１０５において、移行操作が行われたと判定された場合、制御部７は、状態表示部１０にエラー表示を行わせるとともに（ステップＳ１０６）、一時退室者表示部１１に一時退室者情報を表示させる（ステップＳ１０７）。ステップＳ１０７の処理の後、入退室管理システムは、ステップＳ１０８の処理を行う。また、ステップＳ１０５において、移行操作が行われていないと判定された場合も、入退室管理システムは、ステップＳ１０８の処理を行う。
【００３６】
ステップＳ１０８では、警備モード移行機能が無効化されている状態で許可操作が行われたか否か判定される。ステップＳ１０８において、許可操作が行われたと判定された場合、読取部６が識別体からＩＤを読み取る（ステップＳ１０９）。制御部７は、許可操作が行われた際に読取部６によって読み取られたＩＤが一時退室者ＩＤであるか否かを判定する（ステップＳ１１０）。ステップＳ１１０において、許可操作が行われた際に読取部６によって読み取られたＩＤが一時退室者ＩＤであると判定された場合、制御部７は、警備モードへの移行を許可する（ステップＳ１１１）。つまり、ステップＳ１１１において、警備モード移行機能が有効化される。
【００３７】
ステップＳ１１０において、許可操作が行われた際に読取部６によって読み取られたＩＤが一時退室者ＩＤでないと判定された場合、制御部７は、警備モードへの移行を許可しない。この場合、警備モード移行機能は無効化されたままとなる。また、ステップＳ１０８において、許可操作が行われていないと判定された場合も、警備モード移行機能は無効化されたままとなる。
【００３８】
実施の形態１において、施解錠部１４は、通常モードにおいて照合部１３による判定に基づいて電気錠５を解錠し、警備モードにおいて照合部１３による判定に基づいて電気錠５を解錠しない。移行操作部８は、通常モードから警備モードへの移行を行うための移行操作を受け付ける。移行禁止操作部９は、通常モードから警備モードへの移行を禁止するための移行禁止操作を受け付ける。制御部７は、通常モードにおいて移行禁止操作が行われていない状態で移行操作が行われた場合は通常モードから警備モードへの移行を行い、通常モードにおいて移行禁止操作が行われている状態で移行操作が行われた場合は通常モードから警備モードへの移行を行わない。つまり、一時的に入退室管理の対象となる部屋から退室する一時退室者が移行禁止操作を行った場合、他の利用者が誤って運用モードを警備モードに移行させることがない。このため、実施の形態１によれば、運用モードが警備モードに移行されたために一時退室者が当該部屋に入室できなくなることを防止できる。その結果、入退室管理システムにおいて、一時退室者の利便性を向上させることができる。
【００３９】
実施の形態１において、移行禁止操作部９は、識別体である無線タグ１６にも設けられている。このため、無線タグ１６を携帯する一時退室者は、カード認証装置１の読取部６にＩＤカード１５をかざすことなく、扉４から離れた場所で移行禁止操作を行うことができる。その結果、一時退室者の利便性を向上させることができる。
【００４０】
実施の形態１において、カード認証装置１は、情報を表示する一時退室者表示部１１を備えている。制御部７は、移行禁止操作が行われた際に読取部６により読み取られたＩＤを記憶し、移行禁止操作が行われている状態で移行操作が行われた場合に当該ＩＤと関連付けられた情報を一時退室者表示部１１に表示させる。このため、一時退室者が存在することを知らずに移行操作を行った利用者は、誰が室外に残っているかを容易に特定することができる。その結果、一時退室者だけでなく、移行操作を行う他の利用者の利便性を向上させることができる。
【００４１】
実施の形態１において、制御部７は、警備モード移行機能が無効化されている状態で読取部６によって一時退室者ＩＤが読み取られた場合に、警備モード移行機能を有効化してもよい。つまり、入退室管理システムは、一時退室者が再入室するために識別体のＩＤを読取部６に読み取らせた場合に、自動的に警備モードへの移行を許可するよう設定されてもよい。この場合、許可操作が不要となり、一時退室者の利便性を向上させることができる。
【００４２】
実施の形態１において、制御部７は、警備モード移行機能が無効化されてから一定時間後に警備モード移行機能を有効化してもよい。当該一定時間は、例えば、入退室管理システムの管理者によって予め設定される。また、入退室管理システムは、管理者によって強制的に警備モード移行機能を有効化及び無効化できるものでもよい。これにより、一時退室者が許可操作を行わなかった場合に、運用モードを警備モードに移行させられなくなることを防止できる。
【００４３】
実施の形態１において、移行禁止操作の際に読取部６によって行われるＩＤの読み取りと移行禁止操作自体の順番は、どちらが先であってもよい。また、移行許可操作の際に読取部６によって行われるＩＤの読み取りと移行許可操作自体の順番は、どちらが先であってもよい。これらの順番は、例えば、入退室管理システムの管理者によって予め設定される。
【符号の説明】
【００４４】
１  カード認証装置
２  無線タグ認証装置
３  電気錠コントローラ
４  扉
５  電気錠
６  読取部
７  制御部
８  移行操作部
８ａ  警備ボタン
８ｂ  解除ボタン
９  移行禁止操作部
９ａ  禁止ボタン
９ｂ  許可ボタン
１０  状態表示部
１１  一時退室者表示部
１２  識別情報記憶部
１３  照合部
１４  施解錠部
１５  ＩＤカード
１５ａ  ＩＤカード
１５ｂ  ＩＤカード
１６  無線タグ
１７ａ  プロセッサ
１７ｂ  プロセッサ
１７ｃ  プロセッサ
１８ａ  メモリ
１８ｂ  メモリ
１８ｃ  メモリ
【図１】
0006492757.tif 000002
【図２】
0006492757.tif 000003
【図３】
0006492757.tif 000004
【図４】
0006492757.tif 000005